(57)【特許請求の範囲】
【請求項１】
汚れた空気の吸込み口を形成した天板と、天板下方に配置された本体部とを備えており、
本体部には、汚れた空気を浄化するフィルター及びファンと、
浄化済み空気の一部を吸込み口の近傍まで戻す還流通路と、
その還流通路に戻らなかった残りの浄化済み空気を外部に放出する吹出し口とが備えられており、
還流通路に戻った浄化済み空気を放出する循環噴気口を前記吸込み口近傍に配置している天板付き空気浄化機において、
天板上に設置される前記吸込み口用カバーは、
前記吸込み口と前記循環噴気口を覆うように蓋状に形成され、
前記吸込み口に略対応する位置に、汚れた空気を吸込む為の複数の開口部と、
前記循環噴気口より噴気される浄化済み空気が、前記吸込み口に流れ込む空間部を形成してなり、更に水平方向に位置ずれしないように前記天板と係止可能な係止手段を設けたことを特徴とする天板付き空気清浄機の吸込み口用カバー装置
【請求項２】
前記係止手段は、前記吸込み用カバーの裏面側に少なくとも２箇所に当該吸込み用カバーの下端より下方に突出してなる突出体を設け、
当該突出体は、前記吸込み口又は前記循環噴気口の何れか若しくは両方の開口縁に当接してなることを特徴とする請求項１記載の天板付き空気清浄機の吸込み口用カバー装置
【請求項３】
前記係止手段には、前記吸込み用カバーの裏面側に少なくとも２箇所に当該吸込み用カバーの下端より下方に突出してなる板状体を設け、
当該板状体は、前記吸込み口又は前記循環噴気口の何れか若しくは両方の開口縁に当接してなり、前記循環噴気口より噴気される浄化済み空気が、前記吸込み口に流れ込めるように開口部或いは切欠部を形成したとを特徴とする請求項１記載の天板付き空気清浄機の吸込み口用カバー装置
【発明の詳細な説明】
【０００１】
【発明が属する技術分野】
本発明は、煙草の煙等により汚れた空気を浄化するテーブル型空気浄化装置、或いはスタンド型（カウンター型）の空気浄化装置のように、天板を備えた家具型空気浄化装置の空気吸込み口のカバー装置に関するものである。
【０００２】
【従来の技術】
従来、天板付き空気清浄機は、一般に天板の下面に取付けた筒型又は箱型の本体にフィルタやファン等の浄化機構を内臓している。
【０００３】
そして、浄化された空気を全て、本体の下面から直接床に吹出したり（例えば特開平９−１５５２３１号公報参照）、本体の側面に形成した吹出し口から外向きに排出したりしている。
【０００４】
ここで、特開平９−１５５２３１号公報のように浄化済み空気を本体の下部において吹出すものは、すっきりしたデザインにできる利点があるが、冬季等で室温が低い状況において使用した場合、冷たい浄化済み空気が使用者の足に当って、寒さを感じたり違和感を覚えたりすることがあるという問題がある。
【０００５】
そこで、特開平６−３４３５１９号公報では、天板に空気吸引口を開口し、天板下面には、フィルタ等を備えたハウジングケースを固着し、そのハウジングケース内には前記空気吸引口から天板の上方に突出する通気ダクトを設けてる。この構成より、煙を空気と共に空気吸引口から、ハウジングケース内に引き込み、フイルタにより浄化されて、その通気ダクト上方の排気部から排出される為、この通気ダクトの排気部から排気した空気が直接人の足元に吹きつけることがなく、人の足元を冷やしたりすることが無くなる。
【０００６】
しかし、特開平６−３４３５１９号公報の構成では、通気ダクトが天板の上方に突出しているため、体裁が悪いと共に天板の使用時には邪魔になるという問題があり、会議室のように書類等を広げて使用する場所には不向きであった。また、この場合、浄化された空気は全て室内に排出されるため、フィルタの劣化等で取り除けなかった汚れは、再び室内に放出され浄化効率が悪いものであった。
【０００７】
【発明が解決しようとする課題】
そこで、本発明は、このような現状を改善するために、浄化された空気を循環させ浄化効率を向上させる空気浄化機において、その空気を天板の吸込み口に誘導するための吸込み口用カバー装置を提供することを目的とする。
【０００８】
【課題を解決するための手段】
本発明は、請求項１において、空気浄化機は、全周を人が囲むことのできる天板と、天板の下方に配置された本体部を備えており、前記天板には、汚れた空気の吸込み口が開口している。
【０００９】
一方、前記本体部には、汚れた空気を浄化するフィルター及びファンと、浄化済み空気の一部を吸込み口の近傍まで戻す還流通路と、還流通路に戻らなかった残りの浄化空気を外部に放出する吹出し口とが備えられており、還流通路に戻った浄化済み空気を放出する循環噴気口を天板の近傍に配置している。
【００１０】
更に、天板上に設置される吸込み口用カバーは、吸込み口と循環噴気口を覆うように蓋状に形成され、吸込み口に略対応する位置に、汚れた空気を吸込む為の複数の開口部と、循環噴気口より噴気される浄化済み空気が、吸込み口に流れ込む空間部を形成している。そして、水平方向に位置ずれしないように、天板と係止可能な係止手段を設けている。
【００１１】
請求項２では、請求項１において、係止手段は、吸込み用カバーの裏面側に少なくとも２箇所に当該吸込み用カバーより下方に突出してなる突出体を設け、当該突出体は、吸込み口若しくは循環噴気口の何れかの開口縁に当接して構成している。
【００１２】
請求項３では、請求項１において、係止手段は、吸込み用カバーの裏面側に少なくとも２箇所に当該吸込み用カバーより下方に突出してなる板状体を設け、当該板状体は、吸込み口若しくは循環噴気口の何れかの開口縁に当接してなり、循環噴気口より噴気される浄化済み空気が、吸込み口に流れ込めるように開口部或いは切欠部を形成して構成している。
【００１３】
【発明の実施の形態】
次に、本発明の実施形態を図面に基づいて説明する。図１、図２は、本発明に係る吸込み口用カバー装置を備えた天板付き空気浄化機を示している。図３は天板付き空気浄化機の正面図、図４は要部の平面図、要部を右側面視した一部断面図、図６は他の実施例の要部平面図、図７は他の実施例の要部を正面視した一部断面図、他の実施例の一部を透視した要部斜視図を示している。
【００１４】
ここで、図中符号１は天板、２は本体部、３は吸込み口、４は吸込み口用カバー、１５は還流通路、Ａ０は煙により汚れた空気、Ａ１は浄化済み空気、Ａ２は還流通路を流れる浄化済み空気をそれぞれ示している。
【００１５】
本実施形態は、人が椅子に腰掛けて使用するテーブルタイプ、或いは人が立ったままで使用するカウンタータイプの空気浄化機に適用しており、空気浄化機は、平面視略矩形の天板１と、その下方に配置した本体部２をと備えている。天板１の形態は、本体部２の上面の面積と同程度の大きさでも良い。
【００１６】
天板１の中央部には吸込み口３が空いており、吸込み口３には、煙により汚れた空気Ａ０を吸込む為の複数の開口部４ａを備えた吸込み口用カバー４を着脱自在に装着している。
【００１７】
本体部２は、コーナー面が面取りされた平面視略四角状（箱型）のボディ５におけるコーナー部の下端から放射状に延びる脚６とを備えている。ボディ５の一面にはメンテナンス用の扉７を設けいるので、メンテナンス作業は、扉７の固定ねじ７ａを外して扉７を開けて（或いは取り外して）、後述するフィルタユニット８等の交換を行う。
【００１８】
図３に示すように、ボディ５には、フィルタユニット８と、モータ９で駆動される吸引用のファン（シロッコファン）１０とが内臓されている。ボディ５の下端部は、図示しない複数の角孔からなる吹出し口１２を有する底板１１を備えており、モータ９とファン１０は図示しない排気口を設けた固定板１４を介し、ボディ５に固定されている。尚、実施例では、吹出し口１２は、前述したように底板１１に設けているので、浄化済み空気Ａ１はその吹出し口１２を通り床面方向に排気される。ここで、浄化済み空気Ａ１を放出し易いように前記脚６の下方には高さ調節可能なアジャスタ６ａ（キャスターでも良い）を設け、底板１１と床面との間に空隙部を形成している。また、吹出し口１２は、ボディ５の側面のみ又はコーナー部のみに設けても良いし、或いは、底板１１とボディ５の側面又はコナー部のそれぞれに設けても良い。
【００１９】
なお、ボディ５の内部には、ごみ取り用ネットや、殺菌・脱臭機能を高めるための光触媒ユニットや活性炭ユニットなどを並設してもよい。また、フィルタユニット８は使いきりのものを使用すれば、メンテナンス作業が容易となる。
【００２０】
次に、図３に示すように、ボディ５における左右側板５の内側には、前記固定板１４の排気口と連通する隙間を下方に設けて隔壁１３を配置している。そして、ボディ５の上部には、後述する循環噴気口１ｂに連通するダクト１６を、吸込み空間１７を隔てる隔壁１３ａと天板１の下面及びボディ５の一部により構成している。更に、吸込み口用カバー４は、循環噴気口１ｂと吸込み口３に連通する空間部４ｓを有し、吸込み口３と循環噴気口１ｂを覆うように蓋状に形成されており、これらにより浄化済み空気Ａ２の還流通路１５が形成されている。
【００２１】
また、循環噴気口１ｂは、天板の吸込み口３の周囲４箇所に形成している。当該循環噴気口１ｂは、必要に応じて多く設けても良いし、少なくしても良く、最低限一つ設ければ良い。
【００２２】
更に、図４、図５に示すように、吸込み口用カバー４は、前記吸込み口３に略対応する位置にあり、また、吸込み口用カバー４の裏面側には、吸込み口３の開口縁１ａのコーナー部分４箇所に当接するように突出体としての突出ピン４ｂを溶接して固定しているので、天板１に係止でき水平方向のズレが阻止できる。実施例では、当該突出ピン４ｂは、吸込み口３の開口縁１ｂに当接するようにしたが、循環噴気口１ｂの開口縁に当接するようにしても良く、必要に応じてその吸込み口３の開口縁１ａと循環噴気口１ｂの開口縁の両方に当接するようにしてもよい。
【００２３】
また、他の実施例として、図６、図７、図８に示すように、前記突出ピン４ｂの代替部品として、吸込み用カバー４の裏面側に突出してなる側面視階段状の板状体４ｃを、吸込み用カバー４の四辺に隙間がそれぞれ空くように溶接して取り付けても良い。この板状体４ｃには、循環噴気口１ｂより噴気される浄化済み空気Ａ２が吸込み口３に流れ込み易いように開口部４ｃｓを形成している。また、この開口部４ｃｓの代わりに図示しないが当該板状体４ｃを中央等で切断して切欠部を形成してもよい。なお、４ｄは人体を感知し空気浄化機を作動さす人体検知センサー（図示ぜず）を天板上に設置する場合の切欠き部である。
【００２４】
次に、空気浄化機を運転すると、浄化済み空気Ａ１の一部Ａ２は、ボディ５の還流通路１５を通り循環噴気口１ｂから噴気し、吸込み口用カバー４の空間部４ｓを流れ（突出ピン４ｂの場合は、その突出ピン間。また、板状体４ｃの場合は、吸込み用カバー４の四辺に隙間及びその板状体４ｃの開口部４Ｓを流れる。）、再び吸込み口３に吸引される。このように浄化済み空気が循環することで、フィルタの劣化等で汚れや臭気が全て取り除けない場合であっても再度浄化が可能となり、浄化効率が向上する。
【００２５】
【発明の効果】
本発明においては、浄化済み空気の一部を還流通路を介して天板の吸込み口近傍に形成された、循環噴気口により放出された空気が、確実に吸込み口に案内されるため、浄化効率が向上すると共に、浄化済み空気が使用者の足にあたることを抑制して、使用者が浄化済み空気によって悪影響を受けることを防止又は低減できる。
【００２６】
更に、請求項２のように構成すれば、吸込み口用カバーの突出体が天板に係止し、水平方向のずれを防止できるので、確実に吸込み用カバーの位置が確保され、循環噴気口により放出された空気が吸込み口に案内される。
【００２７】
更に、請求項３のように構成すれば、吸込み口用カバーの突出板が天板の吸込み口に面で当接するため、よりガタツクことなく安定して水平方向のずれを防止できるので、確実に吸込み用カバーの位置が確保され、循環噴気口により放出された空気が吸込み口に案内される。
【図面の簡単な説明】
【図１】本発明の使用状態図である。
【図２】本発明の要部分解斜視図である。
【図３】天板付き空気浄化機の正面図である。
【図４】要部平面図である。
【図５】要部の右側面視一部断面図である。
【図６】他の実施例の要部平面図である。
【図７】他の実施例の要部の正面視一部断面図である。
【図８】他の実施例の一部透視した要部斜視図である。
【符号の説明】
１    天板
２    本体部
３    吸込み開口
４    吸込み口用カバー
５    ボディ
６    脚
７    扉
８    フィルターユニット
９    モータ
１０    ファン
１２    吹出し孔
１３    隔壁
１４    固定板
１５    循環通路
１６    ダクト
１７    吸込み空間
【図１】
0003836752.tif 000002
【図２】
0003836752.tif 000003
【図３】
0003836752.tif 000004
【図４】
0003836752.tif 000005
【図５】
0003836752.tif 000006
【図６】
0003836752.tif 000007
【図７】
0003836752.tif 000008
【図８】
0003836752.tif 000009